(57)【特許請求の範囲】
【請求項１】
入力された画像からイメージを取得し、取得したイメージを、入力された画像のイメージと略同一になるように補正する補正手段と、
前記取得したイメージの特徴量を求め、該特徴量に基づく、前記補正手段が行う補正の内容の候補を複数生成する候補生成手段と、
前記候補生成手段が生成した複数の補正の内容の候補を表示する候補表示手段と、
を有する画像処理装置において、
ユーザにより、前記補正候補表示手段が表示する補正の内容の候補の中に、前記入力された画像のイメージと前記取得したイメージとを略同一にする補正の内容の候補が無いと判断された場合に、
前記ユーザにより、前記略同一にする補正の内容の候補が入力される補正内容入力手段を有することを特徴とする画像処理装置。
【請求項２】
前記取得したイメージの特徴量とは、前記取得したイメージと、前記入力された画像のイメージとの、角度のずれ、及び、歪み、並びに、前記入力された画像のイメージが有する綴りの位置のうち、少なくとも一つに係る情報であることを特徴とする請求項１記載の画像処理装置。
【請求項３】
前記候補生成手段は、前記複数生成された前記補正の内容の候補に対応した結果のイメージを生成し、
前記候補表示手段は、該生成されたイメージを表示することを特徴とする請求項１または２記載の画像処理装置。
【請求項４】
前記候補生成手段は、前記補正の結果得られるイメージと、前記入力された画像のイメージとの類似度が、所定の値より大きくなる前記補正の内容を、候補として出力することを特徴とする請求項１ないし３記載の画像処理装置。
【請求項５】
入力された画像からイメージを取得し、取得したイメージを、入力された画像のイメージと略同一になるように補正する補正ステップと、
前記取得したイメージの特徴量を求め、該特徴量に基づく、前記補正ステップが行う補正の内容の候補を複数生成する候補生成ステップと、
前記候補生成ステップで生成した複数の補正の内容の候補を表示する候補表示ステップとを有する画像処理方法において、
ユーザにより、前記補正候補表示ステップにおいて表示する補正の内容の候補の中に、前記入力された画像のイメージと前記取得したイメージとを略同一にする補正の内容の候補が無いと判断された場合に、
前記ユーザにより、前記略同一にする補正の内容の候補が入力される補正内容入力ステップを有することを特徴とする画像処理方法。
【請求項６】
前記取得したイメージの特徴量とは、前記取得したイメージと、前記入力された画像のイメージとの、角度のずれ、及び、歪み、並びに、前記入力された画像のイメージが有する綴りの位置のうち、少なくとも一つに係る情報であることを特徴とする請求項５記載の画像処理方法。
【請求項７】
前記候補生成ステップは、前記複数生成された前記補正の内容の候補に対応した結果のイメージを生成し、
前記候補表示ステップは、該生成されたイメージを表示することを特徴とする請求項５または６記載の画像処理方法。
【請求項８】
前記候補生成ステップは、前記補正の結果得られるイメージと、前記入力された画像のイメージとの類似度が、所定の値より大きくなる前記補正の内容を、候補として出力することを特徴とする請求項５ないし７記載の画像処理方法。
【請求項９】
コンピュータに、請求項５ないし８何れか一項に記載の画像処理方法を実行させるためのプログラム。
【発明の詳細な説明】
【技術分野】
【０００１】
本発明は、画像処理装置、画像処理方法、及び、画像処理プログラムに関する。
【背景技術】
【０００２】
従来から、画像を読み込み、該画像のイメージのデータを生成する画像処理装置において、生成するイメージに含まれている、画像を読み込む際に生じる用紙の水平又は垂直方向の角度のずれや、画像を有する媒体が綴られていることに起因する歪みの補正を行うことにより、読み込まれた画像のイメージと、生成したイメージとを略同一にする画像処理装置がある。
【０００３】
読み込んだ画像が写真等のイメージの場合は、上記の補正によって、イメージのデータを利用・加工する際に品質の良いイメージを用いることができる。例えば、特開２００５−２２９１９４号公報（特許文献１）には、書籍等、綴られた媒体に形成された画像を読み込む際に生じる歪みを補正する画像歪み補正装置が開示されている。上記特許文献１では、文字のイメージを矩形に近似し、それら及び罫線等の位置、形状、間隔、及び、ページ外形等の特徴量から、読み込まれた画像のイメージとのずれを求め、補正を行う。
【０００４】
図１０及び１１は、上記特許文献１の実施例を示す図を引用したものであり、生成されたイメージにおける特徴量の例を説明するものである。
【０００５】
図１０において、上下方向を主走査方向、左右方向を副走査方向とすると、ｘ０は、ページ外形に歪みがある部分と無い部分との副走査方向における境界点であり、ｈ０は、副走査方向の点ｘ０における主走査方向のページ上端と下端との距離である。ｈは、ページ外形に歪みがある任意の点ｘにおける主走査方向のページ上端と下端との距離である。図１１は、文字のイメージを矩形に近似し、それらの相対的な位置から行を表す近似曲線を求める場合の説明図である。文字を表す矩形の縦成分の中心を求め、それらの並びを最小二乗法等で近似することにより、行の歪みを求める。
【０００６】
また、文字のイメージをテキストデータに変換する場合には、生成したイメージのデータと、装置が有するテキストデータに対応する文字のイメージとの、パターンマッチングに先立ち、上記の補正を行うことにより、パターンマッチングの精度をあげることができる。
【０００７】
しかし、上記の補正を行っても、なお、生成したイメージと、画像の本来のイメージとを略同一にすることができない場合には、補正の結果や、補正の結果得られるイメージに基づくテキストデータの取得等の結果が、読み込まれた画像の本来の意味と異なる場合が生じる。
【０００８】
そこで、特開平１０−３５１５号公報（特許文献２）には、生成したイメージのデータから、テキストデータを取得する場合に、テキストデータの候補を複数表示し、選択する画像処理方法が開示されている。また、特開２０００−２９３６３２号公報（特許文献３）には、テキストデータを取得する複数の方法がある場合に、それらの出力する候補を、確信度に基づく順に表示し選択する文字列認識装置の例が開示されている。
【０００９】
さらに、特開２００１−１０１３３８号公報（特許文献４）には、テキストデータを取得できなかった場合に、その部分のイメージと、取得できなかったことを示すパターンとを表示する画像処理装置が開示されている。
【特許文献１】特開２００５−２２９１９４号公報
【特許文献２】特開平１０−３５１５号公報
【特許文献３】特開２０００−２９３６３２号公報
【特許文献４】特開２００１−１０１３３８号公報
【発明の開示】
【発明が解決しようとする課題】
【００１０】
しかしながら、特許文献１から４に開示されている技術は、いずれも、生成したイメージに基づく処理によって、最終結果であるイメージのデータやテキストデータ、又は、それらの候補を得るものであり、最終結果、又は、それらの候補が、読み込まれた画像の本来の意味と異なる場合には、再度、条件を変更して画像を読み込ませる、ユーザがキーボード等で直接入力して指示することにより補正を行う、等、煩雑な処理が必要であるという不具合があった。
【００１１】
本発明は、上記の点に鑑みて、これらの問題を解消するために発明されたものであり、画像を読み込み、生成したイメージのデータに行う補正の内容を入力し、生成したイメージと、入力した画像のイメージとを略同一にすることのできる画像処理装置を提供することを目的としている。
【課題を解決するための手段】
【００１２】
上記目的を達成するために、本発明の画像処理装置は次のような構成を採用した。
【００１３】
本発明の画像処理装置は、入力された画像からイメージを取得し、取得したイメージを、入力された画像のイメージと略同一になるように補正する補正手段と、前記取得したイメージの特徴量を求め、該特徴量に基づく、前記補正手段が行う補正の内容の候補を複数生成する候補生成手段と、前記候補生成手段が生成した複数の補正の内容の候補を表示する候補表示手段と、を有する画像処理装置において、ユーザにより、前記補正候補表示手段が表示する補正の内容の候補の中に、前記入力された画像のイメージと前記取得したイメージとを略同一にする補正の内容の候補が無いと判断された場合に、前記ユーザにより、前記略同一にする補正の内容の候補が入力される補正内容入力手段を有する構成とすることができる。
【００１４】
これにより、取得したイメージと、入力された画像のイメージとを略同一にすることのできる画像処理装置を提供することができる。
【００１７】
また、上記目的を達成するために、本発明の画像処理装置における前記取得したイメージの特徴量とは、前記取得したイメージと、前記入力された画像のイメージとの、角度のずれ、及び、歪み、並びに、前記入力された画像のイメージが有する綴りの位置のうち、少なくとも一つに係る情報であるように構成することができる。
【００１８】
これにより、取得したイメージに補正を行う際に、補正の途中段階である特徴を表す情報のうち、少なくとも一以上情報について、入力された画像のイメージの特徴と略同一にすることのできる画像処理装置を提供することができる。
【００１９】
また、上記目的を達成するために、本発明の画像処理装置における前記候補生成手段は、前記複数生成された前記補正の内容の候補に対応した結果のイメージを生成し、前記候補表示手段は、該生成されたイメージを表示する構成とすることができる。
【００２０】
これにより、取得したイメージに補正を行う場合に、補正の内容に対応した結果のイメージを確認することができ、入力された画像のイメージと略同一にすることのできる画像処理装置を提供することができる。
【００２１】
また、上記目的を達成するために、本発明の画像処理装置における前記候補生成手段は、前記補正の結果得られるイメージと、前記入力された画像のイメージとの類似度が、所定の値より大きくなる前記補正の内容を、候補として出力する構成とすることができる。
【００２２】
これにより、取得したイメージに補正を行う場合に、補正の内容に対応した結果のイメージの候補のうち、類似度の高いものを選択的に表示する画像処理装置を提供することができる。
【００２３】
また、上記目的を達成するために、本発明の画像処理方法は、入力された画像からイメージを取得し、取得したイメージを、入力された画像のイメージと略同一になるように補正する補正ステップと、前記取得したイメージの特徴量を求め、該特徴量に基づく、前記補正ステップが行う補正の内容の候補を複数生成する候補生成ステップと、前記候補生成ステップで生成した複数の補正の内容の候補を表示する候補表示ステップとを有する画像処理方法において、ユーザにより、前記補正候補表示ステップにおいて表示する補正の内容の候補の中に、前記入力された画像のイメージと前記取得したイメージとを略同一にする補正の内容の候補が無いと判断された場合に、前記ユーザにより、前記略同一にする補正の内容の候補が入力される補正内容入力ステップを有する構成とすることができる。
【００２４】
これにより、取得したイメージと、入力された画像のイメージとを略同一にすることのできる画像処理方法を提供することができる。
【００２７】
また、上記目的を達成するために、本発明の画像処理方法における前記取得したイメージの特徴量とは、前記取得したイメージと、前記入力された画像のイメージとの、角度のずれ、及び、歪み、並びに、前記入力された画像のイメージが有する綴りの位置のうち、少なくとも一つに係る情報であるように構成することができる。
【００２８】
これにより、取得したイメージに補正を行う際に、補正の途中段階である特徴を表す情報のうち、少なくとも一以上情報について、入力された画像のイメージの特徴と略同一にすることのできる画像処理方法を提供することができる。
【００２９】
また、上記目的を達成するために、本発明の画像処理方法における前記候補生成ステップは、前記複数生成された前記補正の内容の候補に対応した結果のイメージを生成し、前記候補表示ステップは、該生成されたイメージを表示する構成とすることができる。
【００３０】
これにより、取得したイメージに補正を行う場合に、補正の内容に対応した結果のイメージを確認することができ、入力された画像のイメージと略同一にすることのできる画像処理方法を提供することができる。
【００３１】
また、上記目的を達成するために、本発明の画像処理方法における前記候補生成ステップは、前記補正の結果得られるイメージと、前記入力された画像のイメージとの類似度が、所定の値より大きくなる構成とすることができる。
【００３２】
これにより、取得したイメージに補正を行う場合に、補正の内容に対応した結果のイメージの候補のうち、類似度の高いものを選択的に表示する画像処理装置を提供することができる。
【００３３】
また、上記目的を達成するために、本発明の画像処理プログラムは、コンピュータに、請求項５ないし８何れか一項に記載の画像処理方法を実行させる構成とすることができる。
【００３４】
これにより、取得したイメージと、入力された画像のイメージとを略同一にすることのできる画像処理プログラムを提供することができる。
【発明の効果】
【００３５】
本発明によれば、画像を読み込み、生成したイメージのデータに行う補正の内容を入力し、生成したイメージと、入力した画像のイメージとを略同一にすることのできる画像処理装置を提供することができる。
【発明を実施するための最良の形態】
【００３６】
以下、本発明の実施例を図面に基づき説明する。
【実施例１】
【００３７】
図１は、本発明の画像処理装置の構成図である。図１では、画像処理装置１が、入力画像２を読み込むことにより取得したイメージの特徴量を求めることにより、前記取得したイメージが、入力画像２のイメージと略同一になるように補正を行い、補正されたイメージ３を生成する。画像処理装置１は、候補生成手段１０、候補表示手段２０、補正手段３０、及び、補正内容入力手段４０とから構成される。
【００３８】
候補生成手段１０は、入力画像２を読み込むことにより取得したイメージの特徴量を求め、該特徴量に基づく補正の候補を生成する。取得したイメージの特徴量とは、例えば、入力画像２が形成されている媒体の周辺を表す線、入力画像２のイメージに含まれる要素の歪み、前記要素間の間隔等の相対位置、又は、入力画像２が綴られている場合に現れる、綴り位置を表す線等である。
【００３９】
取得したイメージに補正が必要となるのは、例えば、入力画像２を読み込む際に、入力画像２が形成されている媒体を適切に装置に入力することができなかったことに起因するものであり、イメージ全体が上下方向の垂線に対して傾きを有する場合、スキャナ等の読み取り部分の装置の角度が、走査方向に対してずれていることに起因するスキュー歪みが生じる場合、又は、入力画像２が形成されている媒体が綴られていることに起因する歪が生じる場合等である。
【００４０】
候補生成手段１０は、取得したイメージの特徴量を求め、該特徴量、該特徴量を表すイメージ、又は、該特徴量に基づき補正を行った結果に対応するイメージを生成し、それらを補正の内容の候補として、候補表示手段２０に出力する。候補表示手段２０は、候補生成手段１０より入力された補正の内容の候補を表示する。
【００４１】
補正手段３０は、候補表示手段２０に表示された補正の中から、一の補正を選択し、取得したイメージに対して補正を行い、補正されたイメージ３を生成する。
【００４２】
ところで、候補生成手段１０が、取得したイメージの特徴量に基づいて生成した補正の内容の候補の中に、取得したイメージと、入力画像２のイメージとを略同一にする補正の内容の候補が無い場合には、補正内容入力手段４０から補正の内容の候補を入力することにより、２つのイメージを略同一にする補正を行う。補正入力手段４０は、例えば、タッチパネル、マウス等の入力機器を有するパソコン、又は、紙面に記載された記号を読み込むスキャナ等によって構成される。
【００４３】
図２から図７は、入力画像２、取得したイメージ、及び、補正の内容の候補のイメージを説明する図である。
【００４４】
図２は、入力画像２を読み込む際に、入力画像２が形成されている媒体を適切に装置に入力することができなかったことに起因し、全体が上下方向の垂線に対して傾きを有するイメージの特徴量を表すイメージの説明図である。図２（Ａ）は、入力画像２のイメージ、図２（Ｂ）は、画像処理装置１によって取得されたイメージ、図２（Ｃ）は、特徴量を表すイメージを取得したイメージに追加したイメージである。図２（Ａ）において、イメージ１００は、文字列のイメージ１０１を有し、図２（Ｂ）及び（Ｃ）では、イメージ２００から２２０が、文字列のイメージ２０１を有する。
【００４５】
イメージ２００は、イメージ１００に対して、全体が傾きを有するイメージとなっている。この傾きを表すために、イメージ２１０では、矢印２１１が用いられており、イメージ２２０では直線２２１が用いられている。
【００４６】
図３は、候補表示手段２０が表示する補正の内容の候補を説明する図である。図３（Ａ）は、イメージ全体の上下方向の垂線の候補を矢印で表したものである。イメージ２３０は、候補生成手段１０が生成した補正の内容の候補を表示するイメージであり、候補として矢印２３１から２３３を有する。イメージ２４０は、イメージ２３０に、補正入力手段４０より入力された補正の内容の候補である矢印２４１が加わったイメージである。図３（Ｂ）は、イメージ全体の左右方向の水平線の候補を直線で表したものである。イメージ２５０は、候補生成手段１０が生成した補正の内容の候補を表示するイメージであり、候補として直線２５１から２５３を有する。イメージ２６０は、補正入力手段４０により入力された補正の内容の候補である直線２６１が加わったイメージである。
【００４７】
図４は、スキュー歪みを有するイメージを補正する例の説明図である。図４（Ａ）は、入力画像２を読み込むことにより生成されたスキュー歪みを有するイメージ、図４（Ｂ）は、スキュー歪みを補正する際に基準となる特徴量を表示したイメージ、図４（Ｃ）は、スキュー歪みを補正した結果に対応するイメージである。
【００４８】
図４（Ａ）において、イメージ３００は、入力画像２を読み込むことにより生成されたイメージであって、文字列のイメージ３０１を有する。文字列のイメージ３０１は、スキュー歪みを有している。
【００４９】
図４（Ｂ）において、イメージ３１０は、イメージ３００に対し、イメージ３００を補正する特徴量である、スキュー歪みの基準となる直線３１１を加えたイメージである。直線３１１を正しく検出することにより、入力画像２と略同一となるイメージを生成することができる。
【００５０】
図４（Ｃ）において、イメージ３２０から３４０は、イメージ３００が有するスキュー歪みを補正した結果に対応するイメージであって、候補生成手段１０によって生成され、候補表示手段２０がこれらのイメージを表示する。イメージ３２０から３４０は、それぞれ、文字列３２１、３３１、及び、３４１を有する。これらの文字列は、文字列３０１から特徴量である直線３１１等を検出することにより、生成されたものである。文字列３２１、及び、文字列３３１は、入力画像２が有する文字のイメージ１０１と略同一にはならないが、文字列３４１は、文字のイメージ１０１と略同一になる。
【００５１】
図５から図７は、綴られた媒体に形成された画像を読み込むことにより生じる歪みを補正する場合の説明図である。
【００５２】
図５（Ａ）は、入力画像２が綴られている場合の説明図である。イメージ４００は入力画像２のイメージであり、文字列４０１及び罫線４０２を有する。文字列４０１は、文字が等間隔に並んでいる。
【００５３】
図５（Ｂ）は、綴られた入力画像２を読み込むことにより生成されたイメージであって、イメージ５００は、文字列４０１が読み込まれることにより生成した文字列５０１、及び、罫線４０２が読み込まれることにより生成した罫線５０２を有する。イメージ５００は、綴り位置を中心にして歪みを有する。文字列５０１は、綴り位置に近い文字が変形し、位置が上下方向の中心に向かって移動している。同様に、罫線５０２は、綴り位置に近い部分がイメージの上下方向の中心に向かって湾曲している。
【００５４】
図６は、イメージ５００を補正するのに用いる特徴量の候補を説明する図である。
【００５５】
図６（Ａ）は、イメージ５００を補正するのに用いる外形を表す曲線の候補のイメージである。曲線５０３から５０５は、候補生成手段１０によって生成されたイメージ５００を補正する際に用いられる特徴量である外形を表すイメージの候補である。ここでは、曲線５０３及び５０４は、イメージ５００の外形に一致していないが、曲線５０５は、イメージ５００の外形に一致している。そこで、曲線５０５が補正の内容の候補として表示されていれば、この曲線を用いて補正を行う。曲線５０５が補正の内容の候補として表示されていない場合には、候補入力手段４０より、曲線５０５と略同一の曲線を入力する。
【００５６】
図６（Ｂ）は、イメージ５００を補正するのに用いる綴り位置を表す直線の候補のイメージである。直線５０６から５０７は、候補生成手段１０によって生成されたイメージ５００を補正する際に用いられる特徴量である綴り位置を表すイメージの候補である。ここでは、直線５０６及び５０７は、イメージ５００が有する綴り位置に一致していないが、直線５０８は、イメージ５００が有する綴り位置に一致している。そこで、直線５０８が補正の内容の候補として表示されていれば、この直線を用いて補正を行う。直線５０８が補正の内容の候補として表示されていない場合には、候補入力手段４０より、直線５０８と略同一な直線を入力する。
【００５７】
図７は、イメージ５００を補正した結果に対応するイメージを、補正の内容の候補として表示する場合の説明図である。図７（Ａ）において、イメージ６００は、直線５０８を用いて補正する場合の結果に対応するイメージ、図７（Ｂ）において、イメージ６１０は、直線５０７を用いて補正する場合の結果に対応するイメージ、及び、図７（Ｃ）において、イメージ６２０は、直線５０６を用いて補正する場合の結果に対応するイメージである。
【００５８】
候補表示手段２０に、イメージ６００が表示されている場合には、イメージ６００を選択することにより、イメージ５００が、イメージ４００と略同一になるように補正される。候補手段２０に、イメージ６００が表示されていない場合には、候補入力手段４０より、綴り位置を表す直線５０８を入力することにより、イメージ４００と略同一なイメージを生成することができる。
【００５９】
図８は、本発明の画像処理プログラムを実行するコンピュータの構成図である。
【００６０】
画像処理装置１は、入力された画像から生成したイメージを、入力画像のイメージと略同一になるように補正する画像処理装置であって、スキャナ等の画像機器８０、及び、ＣＤ−ＲＯＭ、ＦＤドライブ等の外部記憶装置８９と接続されている。
【００６１】
画像処理装置１は、中央演算処理装置（ＣＰＵ）８１、プログラム格納メモリ８２、メモリ８３、ワークエリアＲＡＭ８４、及び、表示装置８５から構成されている。中央演算処理装置８１は、プログラム格納メモリ８２等に格納されたプログラムを実行することにより、補正の内容の候補の生成等を行う。プログラム格納メモリ８２は、中央演算処理装置８１が実行するプログラムを格納する読み出し専用のメモリであって、読み出し専用のＲＯＭ、又は、読み出し及び書き込みが可能なＲＡＭから構成される。メモリ８３は、生成した画像のイメージ等を蓄積するメモリであり、ワークエリアＲＡＭ８４は、中央演算処理装置８１が、プログラムを実行する場合に必要となる記憶領域を有するメモリである。表示装置８５は、補正の内容の候補を表示する候補表示装置３０の機能を有する他、プログラムを実行する際に必要となる情報を表示してもよい。
【００６２】
スキャナ等の画像機器８０は、画像処理装置１に入力する画像のイメージを生成する装置であり、外部記憶装置８９は、画像のイメージのデータを画像処理装置１に入力又は出力する他、中央演算処理装置８１が実行するプログラムの入力又は出力等も行う。
【００６３】
図９は、本発明の画像処理装置の動作を説明する流れ図である。
【００６４】
ステップ１０００では、画像機器８０が、入力画像２を読み込み、イメージを生成する。ステップ１１００では、候補生成手段１０が、ステップ１０００で生成されたイメージから、補正の際に用いる特徴量を求め、それらの候補を生成する。又は、候補生成手段１０が、ステップ１０００で生成されたイメージに対し、補正の際に用いる特徴量の候補から、補正の結果に対応するイメージを、それぞれ生成する。
【００６５】
ステップ１２００では、候補表示手段２０が、ステップ１１００で生成された特徴量の候補、又は、それらの候補による補正の結果に対応するイメージを表示する。
【００６６】
ステップ１２１０では、候補表示手段２０が表示する候補の中に、正解候補があるか否かを判断する。なお、本明細書における「正解候補」とは、生成されたイメージを入力画像２のイメージと略同一にする補正に対応する特徴量の候補、又は、該特徴量の候補に対応する結果のイメージである。正解候補がある場合には、ステップ１３００に進み、正解候補が無い場合には、ステップ１４００に進む。
【００６７】
ステップ１３００では、補正手段３０が、生成されたイメージに対する補正を実行し、入力画像２のイメージと略同一であるイメージを生成する。
【００６８】
一方、ステップ１４００では、補正内容入力手段４０が、正解候補を入力し、ステップ１３００に進む。
【００６９】
以上、発明を実施するための最良の形態について説明を行ったが、本発明は、この最良の形態で述べた実施の形態に限定されるものではない。本発明の主旨をそこなわない範囲で変更することが可能である。
【図面の簡単な説明】
【００７０】
【図１】本発明の画像処理装置の構成図。
【図２】媒体のずれを表す特徴量のイメージの説明図。
【図３】媒体のずれを補正する特徴量による候補。
【図４】スキュー補正の結果に対応したイメージによる候補。
【図５】綴りを有する媒体を読み込んだことによる歪みの説明図。
【図６】歪みを補正する特徴量による候補。
【図７】歪みを補正する結果に対応したイメージによる候補。
【図８】本発明の画像処理プログラムを実行するコンピュータの構成図。
【図９】本発明の画像処理装置の動作を説明する流れ図。
【図１０】綴りを有する媒体を読み込んで生成したイメージのページ外形の説明図。
【図１１】綴りを有する媒体を読み込んで生成したイメージの行の歪みの説明図。
【符号の説明】
【００７１】
１ 画像処理装置
１０ 候補生成手段
２０ 候補表示手段
３０ 補正手段
４０ 補正内容入力手段
２３１、２３２、２３３、２５１、２５２、２５３ 候補生成手段が生成した候補のイメージ
２４１、２６１ 補正内容入力手段によって入力された候補のイメージ
８１ 中央演算処理装置
８２ プログラム格納メモリ
８３ メモリ
８４ ワークエリアＲＡＭ
８５ 表示装置
【図１】
0004695520.tif 000002
【図２】
0004695520.tif 000003
【図３】
0004695520.tif 000004
【図４】
0004695520.tif 000005
【図５】
0004695520.tif 000006
【図６】
0004695520.tif 000007
【図７】
0004695520.tif 000008
【図８】
0004695520.tif 000009
【図９】
0004695520.tif 000010
【図１０】
0004695520.tif 000011
【図１１】
0004695520.tif 000012